(57)【要約】【課題】レンチ頭部内の駆動部の位置を制御することにより、様々な用途で使用することができる、多角度で固定可能な構造を有するラチェットレンチを提供する。【解決手段】多角度で固定可能な構造を有するラチェットレンチは、レンチ頭部１２、ラチェット歯ブロック２０、駆動部３０及び底蓋板４０を備えるレンチ本体を含む。レンチ頭部１２は、後端にレンチハンドルが接続され、内部に収納槽１３が形成され、上端に開口部１４が形成される。ラチェット歯ブロック２０は、レンチ頭部１２の収納槽１３内に配設され、内部に八角穿孔２１が形成される。駆動部３０は、ラチェット歯ブロック２０の八角穿孔２１中に配設されるとともに、八角円体３１を有する。八角円体３１は、上端に上円盤３２が形成され、下端に凹入部３３及び下円盤３４が設けられる。下円盤３４の下端には、ソケットが延設される。【選択図】図２
0003193338.tif 000002
【実用新案登録請求の範囲】
【請求項１】
レンチ頭部、ラチェット歯ブロック、駆動部及び底蓋板を備えるレンチ本体を含む多角度で固定可能な構造を有するラチェットレンチであって、
上記レンチ頭部は、後端にレンチハンドルが接続され、内部に収納槽が形成され、上端に開口部が形成され、
上記ラチェット歯ブロックは、レンチ頭部の収納槽内に配設され、内部に八角穿孔が形成され、
駆動部は、ラチェット歯ブロックの八角穿孔中に配設されるとともに、八角円体を有し、八角円体は、上端に上円盤が形成され、下端に凹入部及び下円盤が設けられ、下円盤の下端には、ソケットが延設され、
上記駆動部の八角円体の側辺は、内方に向かって穿設された少なくとも１つの槽孔を有し、槽孔内には、ばね及びキャップが配設され、駆動部は、上端の上円盤から内部へ向かって垂直に穿設された貫通孔を有するとともに、下端のコネクタの側辺に形成された側穿孔と連通し、貫通孔内には、弾性構造を有する押圧レバーが配設され、側穿孔内には、鋼球が配設され、
上記底蓋板は、レンチ頭部の下端に螺着されるとともに、駆動部のコネクタを挿設する穿孔を有し、
上記駆動部の上円盤と、レンチ頭部の開口部との幅は等しく、
上記駆動部の下円盤と、底蓋板の穿孔との幅は等しく、
上記駆動部の八角円体が八角穿孔の上部に挿設されると、上円盤がレンチ頭部の開口部内に挿通され、下円盤が底蓋板の穿孔内に挿通され、駆動部が垂直に固定されて使用可能な状態となり、駆動部が八角穿孔の下部に向かって延ばされると、上円盤及び下円盤が開口部及び穿孔からそれぞれ外れ、八角円体と八角穿孔との構造関係により、駆動部を回転させて様々な角度で使用可能なことを特徴とする多角度で固定可能な構造を有するラチェットレンチ。
【考案の詳細な説明】
【技術分野】
【０００１】
本考案は、多角度で固定可能な構造を有するラチェットレンチに関し、特に、レンチ頭部内の駆動部の伸縮位置を制御することにより、駆動部を様々な角度又は垂直に固定して使用し、様々な用途に使用することができる多角度で固定可能な構造を有するラチェットレンチに関する。
【背景技術】
【０００２】
従来のラチェットレンチは、ソケットを従来の垂直角度で使用する方式の他、様々な角度で使用するニーズもあったため、メーカーは様々な方向で使用することができるようにラチェットレンチの駆動構造を円弧状に設計したものがあったが、このような構造の駆動ヘッドは一般の垂直角度に固定して使用することができず、改善が求められていた。
【考案の概要】
【考案が解決しようとする課題】
【０００３】
本考案の目的は、レンチ頭部内の駆動部の位置を制御し、駆動部が下方へ延ばされると、回転させて様々な方向で使用可能であり、駆動部を上方へ引き込むと、垂直に固定されて使用することができるため様々な用途で使用可能な、多角度で固定可能な構造を有するラチェットレンチを提供することにある。
【図面の簡単な説明】
【０００４】
【図１】本考案の一実施形態に係る多角度で固定可能な構造を有するラチェットレンチを示す斜視図である。
【図２】本考案の一実施形態に係る多角度で固定可能な構造を有するラチェットレンチを示す分解斜視図である。
【図３】図１の線Ａ−Ａ’に沿った断面図である。
【図４】図１の線Ａ−Ａ’に沿った動作図（１）である。
【図５】図１の線Ａ−Ａ’に沿った動作図（２）である。
【図６】図１のＢ−Ｂ’に沿った断面図である。
【図７】図１の線Ｂ−Ｂ’に沿った動作図（１）である。
【図８】図１の線Ｂ−Ｂ’に沿った動作図（２）である。
【考案を実施するための形態】
【０００５】
図１及び図２を参照する。図１及び図２に示すように、本考案の一実施形態に係る多角度で固定可能な構造を有するラチェットレンチ１０は、少なくともレンチハンドル１１及びレンチ頭部１２から構成されている。レンチ頭部１２は、内側に収納槽１３が形成され、上端に開口部１４が形成されている。収納槽１３内には、ラチェット歯ブロック２０が配設されている。ラチェット歯ブロック２０内には八角穿孔２１が形成され、八角穿孔２１中には、駆動部３０が設けられている。駆動部３０は八角円体３１を有する。八角円体３１は、上端に上円盤３２が形成され、下端に凹入部３３及び下円盤３４が形成されている。下円盤３４の下端には、コネクタ３５が延設されている。駆動部３０の八角円体３１の側縁には、少なくとも１つの槽孔３１１が形成され、槽孔３１１内にばね３１３及びキャップ３１２から構成される当接装置を有し、駆動部３０が上端の上円盤３２から内部に形成された垂直の貫通孔３６に向かい、下端のコネクタ３５の側辺に形成された側穿孔３５１と連通する。貫通孔３６内には、弾性構造を有する押圧レバー５０が配設され、側穿孔３５１内には、鋼球３５２が配設され、コネクタ３５にはソケットを着脱させることが可能である。レンチ頭部１２の下端には、底蓋板４０が螺着されている。底蓋板４０上には、駆動部３０のコネクタ３５を挿通させる穿孔４１が形成されている。駆動部３０の上円盤３２と、レンチ頭部１２の開口部１４とは等しい幅を有し、駆動部３０の下円盤３４と、底蓋板４０の穿孔４１とは等しい幅を有する。
【０００６】
図３〜図５を参照する。図３〜図５に示すように、駆動部３０の八角円体３１が八角穿孔２１の上部に引き込まれると、上円盤３２がレンチ頭部１２の開口部１４内に挿通され、下円盤３４が底蓋板４０の穿孔４１中に当接されるため、駆動部３０が垂直に固定されて使用可能な状態である。駆動部３０が八角穿孔２１の下部に向かって延びると、上円盤３２及び下円盤３４が開口部１４及び穿孔４１からそれぞれ外れ、八角円体３１及び八角穿孔２１の構造関係により、駆動部３０を様々な方向へ向けて使用することが可能である。
【０００７】
図６〜図８を参照する。図６〜図８に示すように、本考案の一実施形態に係る多角度で固定可能な構造を有するラチェットレンチの駆動部３０の押圧レバー５０は、下圧動作が行われると鋼球３５２が凹弧部５１中に落ち込むため、コネクタ３５上からソケットを容易に取り外すことができ、駆動部３０の八角円体３１の側辺に設けられたキャップ３１２構造により、駆動部３０を垂直方向で伸縮させたり様々な方向で回転させたりする際、当接させて位置決めすることができる。
【符号の説明】
【０００８】
１０  ラチェットレンチ
１１  レンチハンドル
１２  レンチ頭部
１３  収納槽
１４  開口部
２０  ラチェット歯ブロック
２１  八角穿孔
３０  駆動部
３１  八角円体
３２  上円盤
３３  凹入部
３４  下円盤
３５  コネクタ
３６  貫通孔
４０  底蓋板
４１  穿孔
５０  押圧レバー
５１  凹弧部
３１１  槽孔
３１２  キャップ
３１３  ばね
３５１  側穿孔
３５２  鋼球
【図１】
0003193338.tif 000003
【図２】
0003193338.tif 000004
【図３】
0003193338.tif 000005
【図４】
0003193338.tif 000006
【図５】
0003193338.tif 000007
【図６】
0003193338.tif 000008
【図７】
0003193338.tif 000009
【図８】
0003193338.tif 000010